(57)【特許請求の範囲】
【請求項１】
反射鏡および該反射鏡の焦点位置に配置された検出素子からなるセンサ部と、該センサ部が円周方向に複数配設されるとともに各センサ部が縦方向に回動可能に取り付けられたセンサ取付板と、
前記各センサ部に対向して前記センサ取付板に径方向に形成された長孔と、
前記センサ取付板に回動自在に装着された回転板と、
該回転板の円周方向に且つ回転板の中心からの距離が次第に小さくなるように形成された周方向スリットと、
一端が各センサ部に連結され他端が前記長孔および周方向スリットを貫通する調整ロッドとを備え、
前記回転板の回動による周方向スリットの動きを前記調整ロッドに伝達させ、調整ロッドを前記長孔内で移動させることにより、各センサ部の縦方向の角度を調整可能にしたことを特徴とする熱線センサ。
【請求項２】
前記回転板の外周には指示突起が設けられ、前記センサ取付板には、前記指示突起に対向して天井高さが表示されていることを特徴とする請求項１記載の熱線センサ。
【請求項３】
前記周方向スリットに連通され、前記回転板の径方向に直線状に延びる径方向スリットを備え、各センサ部の縦方向の角度を個別に調整可能にしたことを特徴とする請求項１記載の熱線センサ。
【請求項４】
前記径方向スリットの側方には、警戒距離設定文字が表示されていることを特徴とする請求項３記載の熱線センサ。
【発明の詳細な説明】
【０００１】
【産業上の利用分野】
本発明は、侵入者の検知を行う警報システムにおいて用いられる熱線センサに関する。
【０００２】
【従来の技術】
熱線センサは、遠赤外線を輻射する移動物体を検知するもので、移動物体を検知するエリアを定めるための反射鏡またはレンズ等の光学系と、その光学系の略焦点位置に配置された焦電素子と、信号処理回路とを備え、信号処理回路は焦電素子の出力レベルが閾値以上である場合に移動物体を検知したことを示すアラーム信号を出力するようにしている。
【０００３】
従来、例えば実開平１−４６８９０号公報において、視野の広がりを周囲略３６０度にすることができる熱線センサの光学系が開示されている。しかし、この方式は構造が非常に複雑であり、反射鏡の設計も難しいものである。また、この方式では、設置個所によってある方位方向の警戒ゾーンを狭くしたい場合には、反射鏡の当該方位方向に対応する部分をマスクする、いわゆるミラーマスキングと称される手法を採らねばならず、作業が面倒であるばかりか、反射鏡の有効利用という観点から望ましくないものである。
【０００４】
【発明が解決しようとする課題】
この問題を解決するために、本出願人は、特願平９ー５４４０１号により、警戒ゾーンを形成する複数の反射鏡と、これら反射鏡の焦点位置に配置された検出素子からなるセンサ部を備え、簡単な構成で視野の広がりを周囲略３６０度にすることができ、しかも部分的に縦方向の視野範囲の調整を行うことができる熱線センサを提案している。
【０００５】
しかしながら、上記提案の熱線センサにおいては、縦方向の視野範囲の調整をどのようにして行うか、また、部分的に縦方向の視野範囲の調整をどのようにして行うかの具体的な構造が課題となっている。
【０００６】
本発明は、上記の課題を解決するものであって、簡単な構成で視野の広がりを周囲略３６０度にすることができ、しかも全体的或いは部分的に縦方向の視野範囲の調整を行うことができる熱線センサを提供することを目的とする。
【０００７】
【課題を解決するための手段】
上記の目的を達成するために、本発明の請求項１記載の熱線センサは、反射鏡Ｍ1、Ｍ2、Ｍ3および該反射鏡の焦点位置に配置された検出素子Ｐ1、Ｐ2、Ｐ3からなるセンサ部Ｓ1、Ｓ2、Ｓ3と、該センサ部が円周方向に複数配設されるとともに各センサ部が縦方向に回動可能に取り付けられたセンサ取付板５と、前記各センサ部に対向して前記センサ取付板に径方向に形成された長孔８と、前記センサ取付板に回動自在に装着された回転板１０と、該回転板の円周方向に且つ回転板の中心からの距離が次第に小さくなるように形成された周方向スリット１１ａと、一端が各センサ部に連結され他端が前記長孔８および周方向スリット１１ａを貫通する調整ロッド１２とを備え、前記回転板１０の回動による周方向スリット１１ａの動きを前記調整ロッド１２に伝達させ、調整ロッドを前記長孔内で移動させることにより、各センサ部の縦方向の角度を調整可能にしたことを特徴とし、
請求項２記載の発明は、請求項１において、前記回転板１０の外周には指示突起１３が設けられ、前記センサ取付板５には、前記指示突起に対向して天井高さ１４が表示されていることを特徴とし、
請求項３記載の発明は、請求項１において、前記周方向スリット１１ａに連通され、前記回転板１０の径方向に直線状に延びる径方向スリット１１ｂを備え、各センサ部の縦方向の角度を個別に調整可能としたことを特徴とし、
請求項４記載の発明は、請求項３において、前記径方向スリット１１ｂの側方には、警戒距離設定文字１５が表示されていることを特徴とする。なお、上記構成に付加した番号は本発明の理解を容易にするために図面と対比させるもので、これにより本発明の構成が何等限定されるものではない。
【０００８】
【発明の実施の形態】
以下、図面を参照しつつ本発明の実施の形態について説明する。図６および図７は、本発明に係る熱線センサの概要を示す図であり、図中、Ｍ1、Ｍ2、Ｍ3は反射鏡、Ｐ1、Ｐ2、Ｐ3は検出素子である焦電素子を示す。
【０００９】
反射鏡Ｍ1には複数の部分ミラーが形成されている。一つ一つの部分ミラーはそれぞれ一つの警戒ゾーンを形成するものである。そして、各部分ミラーの焦点は同じ位置にあり、この焦点位置には焦電素子Ｐ1が配置されている。
【００１０】
つまり、この反射鏡Ｍ1と焦電素子Ｐ1とは一つのセンサ部Ｓ1を構成しているのである。そして、反射鏡Ｍ1の両端のミラー部で形成される警戒ゾーンの視野の広がり、即ち図１における警戒ゾーンＺ1と警戒ゾーンＺ1′との間の広がりは１２０度程度となされている。
【００１１】
更に、この反射鏡Ｍ1と焦電素子Ｐ1とで構成されるセンサ部Ｓ1は、図７に示すように、縦方向（上下方向）に角度調整が可能となされている。図７においては、回転中心Ｏを中心として、実線と破線で示す範囲内で縦方向に角度調整可能となされている。なお、このような縦方向の角度調整機構は従来の熱線センサで広く採用されているものであるので、詳細な説明は省略する。
【００１２】
以上のところから、この反射鏡Ｍ1 と焦電素子Ｐ1とで構成されるセンサ部Ｓ1は、視野の広がりが周囲１２０度程度で、縦方向の角度調整機構を備える通常の熱線センサということができる。
【００１３】
反射鏡Ｍ2と焦電素子Ｐ2で構成されるセンサ部Ｓ2、及び反射鏡Ｍ3と焦電素子Ｐ3で構成されるセンサ部Ｓ3も同様であり、警戒ゾーンＺ2と警戒ゾーンＺ2′との間の広がりは１２０度程度とされ、警戒ゾーンＺ3と警戒ゾーンＺ3′との間の広がりは１２０度程度とされ、また、反射鏡Ｍ2、Ｍ3と焦電素子Ｐ2、Ｐ3とで構成されるセンサ部Ｓ2、Ｓ3も、図７に示すように縦方向に角度調整が可能となされている。
【００１４】
そして、上記の３つのセンサ部Ｓ1〜Ｓ3は、反射鏡Ｍ1、Ｍ2、Ｍ3が背中合わせになるように配置されている。以上の構成によれば、視野の広がりを周囲略３６０度にすることができることは明らかである。また、各センサ部は縦方向の角度調整が可能となされているので、設置個所の状況によって、ある方位方向の警戒ゾーンを狭くしたい場合には、当該方位方向に警戒ゾーンを有するセンサ部の縦方向角度を大きくするように調整することで対応することができる。
【００１５】
図１および図２は、本発明の熱線センサの１実施形態を示し、図１（Ａ）は断面図、図１（Ｂ）は図１（Ａ）においてベース部材を取り外した状態を示す平面図、図２は、図１の回転板とセンサ取付板の分解斜視図である。
【００１６】
熱線センサ１は、天井面に取り付けられる有底円筒状のベース部材２と、ベース部材２に螺合される筒状のケース部材３と、ケース部材３の上部を覆うように固定されたセンサ取付板５と、ケース部材３の下面を覆うように着脱自在に取り付けられたカバー部材６とを備えている。
【００１７】
センサ取付板５には、図２に示すように、上記した３つのセンサ部Ｓ1〜Ｓ3を円周方向に取り付けるための３組の支持ステー７が設けられている。図１（Ａ）では、反射鏡Ｍ1と焦電素子Ｐ1からなるセンサ部Ｓ1のみが示され、センサ部Ｓ1は支持ステー７に設けられた軸７ａに回動自在に支持され、縦方向の角度調整が可能となっている。また、センサ取付板５には、３つのセンサ部Ｓ1〜Ｓ3に対向して３つ長孔８が形成されている。なお、４は焦電素子Ｐ1を装着する素子基板である。
【００１８】
センサ取付板５の中心部には、固定軸９が止め具９ａにより固定され、この固定軸９に回転板１０が回動自在に装着されている。回転板１０には、３つのセンサ部Ｓ1〜Ｓ3の角度調整を行うための３つの変形スリット１１が形成されている。変形スリット１１は、回転板１０の円周方向に且つ回転板１０の中心からの距離が次第に小さくなるように形成された周方向スリット１１ａと、この周方向スリット１１ａの一端に連通され、回転板１０の径方向外側に向けて直線状に延びる径方向スリット１１ｂとからなる。なお、径方向スリット１１ｂの位置は、周方向スリット１１ａの任意の位置でよく、要するに回転板１０を回動させたとき、ある位置（Ｆｒｅｅの位置）で長孔８と合致させるようにすればよい。従って、径方向スリット１１ｂの形状は長孔８の形状と同一になるように形成されている。
【００１９】
３つのセンサ部Ｓ1〜Ｓ3の上部には、調整ロッド１２の一端が連結、固定され、調整ロッド１２の他端は、センサ取付板５の長孔８および回転板１０の変形スリット１１を貫通して回転板１０の上面から突出されている。回転板１０の外周には指示突起１３が設けられ、センサ取付板５には、指示突起１３に対向して天井高さ（５ｍ、４．５ｍ、４ｍ、３．５ｍ、３ｍ、２．５ｍ、Ｆｒｅｅ）１４が表示されている。また、回転板１０の径方向スリット１１ｂの側方には、警戒距離設定文字（Ａ〜Ｆ）１５が表示されている。
【００２０】
上記構成からなる本発明の熱線センサの角度調整について説明する。図３は、図１と同様の図で、回転板１０を回動させたときのセンサ部Ｓ1の状態を示す図である。
【００２１】
図１は、天井高さを５ｍに設定した状態を示している。この状態から回転板１０を図で時計回りに回動させると、調整ロッド１２はスリット１１の周方向スリット１１ａに沿って移動し、そのため調整ロッド１２は周方向スリット１１ａの動きによって長孔８内を図で右方向に移動し、指示突起１３を天井高さ３．５ｍの位置に合わせた場合には図３に示す状態となり、センサ部Ｓ1は、軸７ａを中心にして時計回りに回動し、天井面に対して角度が小さくなった状態に調整されることになる。
【００２２】
図４は天井高さとセンサ部の角度調整を説明するための図であり、天井高さが２．５ｍ、３．５ｍ、５ｍと高くなるほど、センサ部の角度を９゜、１５゜、２３゜と下向きに調整し、天井高さに応じて警戒ゾーンを設定する必要があることを示している。
【００２３】
次に、指示突起１３をＦｒｅｅの位置に合わせたときの作用について説明する。この場合には、調整ロッド１２が変形スリット１１の径方向スリット１１ｂに沿って移動可能となるため、３つのセンサ部Ｓ1〜Ｓ3を直接回動させることにより縦方向の角度を個別に調整することができ、これにより、センサ部Ｓ1〜Ｓ3の検知エリア内に熱源がある場合にこれを避けることが可能となる。この場合には、警戒距離設定文字（Ａ〜Ｆ）１５と図５に示す距離設定表から最長警戒距離を知ることができる。例えば、天井の高さが３ｍで、８ｍまで警戒したい場合には、「Ｄ」の位置に合わせればよい。
【００２４】
以上、本発明の１実施形態について説明したが、本発明は上記実施形態に限定されるものではなく種々の変形が可能である。例えば、上記実施形態では視野の広がりが周囲略１２０度で、縦方向の角度調整が可能となされたセンサ部を３個用いるものとしたが、視野の広がりが周囲略９０度で、縦方向の角度調整が可能となされたセンサ部を４個用いるようにしてもよい。
【００２５】
【発明の効果】
以上の説明から明かなように、本発明によれば、簡単な構成で視野の広がりを周囲略３６０度にすることができ、しかも全体的或いは部分的に縦方向の視野範囲の調整を行うことができる。
【図面の簡単な説明】
【図１】本発明の熱線センサの１実施形態を示し、図１（Ａ）は断面図、図１（Ｂ）は図１（Ａ）においてベース部材を取り外した状態を示す平面図である。
【図２】図１の回転板とセンサ取付板の分解斜視図である。
【図３】図１と同様の図で、回転板１０を回動させたときのセンサ部Ｓ1の状態を示す図である。
【図４】天井高さとセンサ部の角度調整を説明するための図である。
【図５】最長警戒距離の設定表を示す図である。
【図６】本発明に係る熱線センサの概要を説明するための平面図である。
【図７】図６に示す熱線センサの各センサ部の縦方向の角度調整を説明するための側面図である。
【符号の説明】
Ｍ1、Ｍ2、Ｍ3…反射鏡
Ｐ1、Ｐ2、Ｐ3…焦電素子
Ｓ1、Ｓ2、Ｓ3…センサ部
５…センサ取付板
８…長孔
１０…回転板
１１ａ…周方向スリット
１１ｂ…径方向スリット
１２…調整ロッド
【図１】
0003695096.tif 000002
【図２】
0003695096.tif 000003
【図３】
0003695096.tif 000004
【図４】
0003695096.tif 000005
【図５】
0003695096.tif 000006
【図６】
0003695096.tif 000007
【図７】
0003695096.tif 000008